(57)【要約】【課題】  竿掛けアームを支持するスライド支柱を下降させる際の指詰めや騒音を防止ないし抑制して、安全性と防音性に優れた物干し竿支持装置を提供する。【解決手段】  本発明の物干し竿支持装置１は、壁面に取り付け可能な取付部材３と、この取付部材３に上下方向にスライド自在に取り付けられたスライド支柱４と、このスライド支柱４に片持ち状に支持される竿掛けアーム５と、スライド支柱４を所定高さ位置に位置決めする位置決め手段９，１０，１１と、スライド支柱４が自重で下降するのを妨げない程度に、当該スライド支柱４のスライド運動に抵抗を付与してその下降速度を低減させる制動手段１４，１５，１６とを備える。【選択図】図１
2011045692.tif 000002
【特許請求の範囲】
【請求項１】
壁面に取り付け可能な取付部材と、
この取付部材に上下方向にスライド自在に取り付けられたスライド支柱と、
このスライド支柱に片持ち状に支持される竿掛けアームと、
前記スライド支柱を所定高さ位置に位置決めする位置決め手段と、
前記スライド支柱が自重で下降するのを妨げない程度に、当該スライド支柱のスライド運動に抵抗を付与してその下降速度を低減させる制動手段と、
を備えていることを特徴とする物干し竿支持装置。
【請求項２】
前記制動手段は、前記取付部材に組み込まれたギア付きのロータリーダンパと、このダンパの前記ギアが噛合する、前記スライド支柱の長手方向に沿って形成されたラック歯とを有する請求項１項に記載の物干し竿支持装置。
【請求項３】
前記ロータリーダンパは、前記スライド支柱の上昇時の抵抗が、当該スライド支柱の下降時の抵抗よりも弱くなっている請求項２に記載の物干し竿支持装置。
【発明の詳細な説明】
【技術分野】
【０００１】  本発明は、上下方向にスライド自在なスライド支柱に竿掛けアームの基端部が片持ち状に支持された物干し竿支持装置に関するものである。
【背景技術】
【０００２】  マンションや戸建て住宅の壁面に取り付けて使用する物干し竿支持装置として、バルコニー壁等の屋内側壁面に取り付け可能な取付部材と、この取付部材に上下方向にスライド自在に取り付けられたスライド支柱と、このスライド支柱に基端部が片持ち状に支持された竿掛けアームと、を備えたものが知られている。
この物干し竿装置は、上記取付部材を、屋内側壁面における同じ高さ位置でかつ幅方向で所定間隔をおいた位置にそれぞれ配置することによって構成されている（例えば、特許文献１参照）。【０００３】  従来の物干し竿支持装置は、更に、上記スライド支柱を所定高さ位置に位置決めする位置決め手段を備えている。従って、当該物干し竿支持装置を使用して洗濯物を干す場合には、ユーザは、洗濯物の大きさを考慮してスライド支柱を所定高さ位置に位置決めし、スライド支柱から突出する竿掛けアームに対して、物干し竿の両端部を引っ掛けるようにすればよい。
また、物干し竿支持装置を使用しない場合には、竿掛けアームから物干し竿を取り外してからスライド支柱を最下降位置すことにより、物干し竿支持装置をバルコニー壁よりも低い位置に収納することができる。
【先行技術文献】
【特許文献】
【０００４】
【特許文献１】  特開平１０−１３７４９７号公報
【発明の概要】
【発明が解決しようとする課題】
【０００５】  上記従来の物干し竿支持装置では、スライド支柱が取付部材に対して上下方向にスライド自在に取り付けられているだけであるから、位置決め手段による係合を解除するとに、スライド支柱が自重で勢いよく自由落下することが多い。
このため、従来の物干し竿支持装置では、スライド支柱を下降させて収納状態に戻す際に、スライド支柱のスライド部分にユーザが指を挟んで怪我をしたり、スライド支柱が取付部材に衝突した時に大きな騒音が発生したりすることがあり、安全性と防音性に劣るという欠点がある。【０００６】  本発明は、このような従来の課題に鑑み、竿掛けアームを支持するスライド支柱を下降させる際の指詰めや騒音を防止ないし抑制できるようにして、安全性と防音性に優れた物干し竿支持装置を提供することを目的とする。
【課題を解決するための手段】
【０００７】  本発明は、壁面に取り付け可能な取付部材と、この取付部材に上下方向にスライド自在に取り付けられたスライド支柱と、このスライド支柱に片持ち状に支持される竿掛けアームと、前記スライド支柱を所定高さ位置に位置決めする位置決め手段と、前記スライド支柱が自重で下降するのを妨げない程度に、当該スライド支柱のスライド運動に抵抗を付与してその下降速度を低減させる制動手段と、を備えていることを特徴とする。【０００８】  本発明によれば、上記制動手段が、スライド支柱が自重で下降するのを妨げない程度に、当該スライド支柱のスライド運動に抵抗を付与してその下降速度を低減させるので、竿掛けアームを支持するスライド支柱が自重で下降する際に、当該スライド支柱が勢いよく自由落下するのが防止される。
このため、スライド支柱を収納状態に戻す等のために下降させたい場合に、スライド支柱のスライド部分にユーザが指を詰めて怪我をしたり、スライド支柱が取付部材に衝突した時に大きな騒音が発生したりするのを防止ないし抑制することができる。【０００９】  本発明において、前記制動手段は、具体的には、前記取付部材に組み込まれたギア付きのロータリーダンパと、このダンパの前記ギアが噛合する、前記スライド支柱の長手方向に沿って形成されたラック歯とを有するものを採用することができる。
上記ギア付きのロータリーダンパは、汎用部品として市販されている。このため、かかる市販のロータリーダンパを取付部材に組み込むようにすれば、制動手段を構成するための製作コストを抑えることができる。【００１０】  一方、上記制動手段を採用する場合、スライド支柱の上昇時の抵抗が大きいと、ユーザがスライド支柱を上昇させるのに大きな力が必要となり、物干し竿支持装置の使い勝手が却って悪くなるという不都合が生じる。
そこで、本発明において、前記ロータリーダンパは、前記スライド支柱の上昇時の抵抗が、当該スライド支柱の下降時の抵抗よりも弱くなっていることが好ましい。【００１１】  このようなロータリーダンパを使用すれば、スライド支柱をユーザが上昇させる際に、出来るだけ小さい力でスライド支柱を上昇させることができ、当該ロータリーダンパを設けたことによって物干し竿支持装置の使い勝手が悪くなるのを、未然に防止することができる。
【発明の効果】
【００１２】  以上の通り、本発明によれば、竿掛けアームを支持するスライド支柱を下降させる際の指詰めや騒音を防止ないし抑制することができるので、物干し竿支持装置の安全性及び防音性を向上することができる。
【図面の簡単な説明】
【００１３】
【図１】  本発明の実施形態に係る物干し竿支持装置の側面図であり、（ａ）はスライド支柱の最下位状態を示し、（ｂ）は最上位状態を示している。
【図２】  同支持装置の取付部材とスライド支柱の接合部分の側面断面図である。
【発明を実施するための形態】
【００１４】  〔支持装置の構造〕
図１は、本発明の実施形態に係る物干し竿支持装置の側面図である。また、図２は、同支持装置における取付部材とスライド支柱の接合部分の側面断面図である。
図１に示すように、本実施形態の物干し竿支持装置１は、マンションや戸建て住宅の壁面に取り付けて使用されるものである。
【００１５】  この物干し竿支持装置１は、バルコニー壁２の屋内側壁面に取り付けられており、その壁面に取り付け可能な取付部材３と、この取付部材３に上下方向にスライド自在に取り付けられたスライド支柱４と、このスライド支柱４に基端部が片持ち状に支持される竿掛けアーム４と、を備えている。
なお、図例では、物干し竿支持装置１が１つしか図示されていないが、同装置１は、バルコニー壁２における同じ高さ位置でかつその幅方向（図１の紙面貫通方向）で所定間隔だけ離れた２つの位置に、それぞれ配置されている。
【００１６】  図１に示すように、取付部材３は、バルコニー壁２の壁面にボルト締結等によって固定された上下方向に長い中空鋼材よりなり、幅方向両側に左右一対のスライド溝部７を有している。
スライド支柱４は、バルコニー壁２の高さよりもやや小さい長さの中空鋼材よりなり、上記スライド溝７に嵌合して当該スライド支柱４を上下方向にスライド自在に案内するスライドフランジ８を幅方向両側に有している。
【００１７】  図２に示すように、取付部材３の天井壁部には、押しボタン式の操作部材９が設けられており、取付部材３の内部でかつ当該操作部材９の下方に、スライド支柱４に係脱自在な係止部材１０が設けられている。
この係止部材１０は、枢着ピン１０Ａを介して上下方向に回動自在であり、先端のフック部が常にスライド支柱４側（図２の右側）に突出するように、図示しないばね部材によって付勢されている。
【００１８】  操作部材９の下端部は、上記係止部材１０の基端部に当接しており、この操作部材９を押動操作すると、係止部材１０のフック部を取付部材３側（図２の左側）に引き込ませることができる。
スライド支柱４の背面壁部には、上記係止部材１０のフック部が嵌合するスリット１１が形成されており、このスリット１１は、当該スライド支柱４の長手方向（図１及び図２の上下方向）に所定間隔おきに複数形成されている。
【００１９】  このため、スライド支柱４は、これを取付部材３に対して昇降させる場合に、係止部材１０がいずれかのスリット１１に嵌合する複数の高さ位置で、位置決めできるようになっている。
このように、本実施形態では、上記操作部材９、係止部材１０及びスリット１１により、スライド支柱４を所定高さ位置に位置決めする位置決め手段が構成されている。
【００２０】  なお、位置決め手段によって位置決め可能な高さ位置は、少なくとも図１（ａ）に示す最下位状態と、図１（ｂ）に示す最上位状態の２位置あればよく、その中間の高さで位置決め可能に構成するか否かは任意である。
図１に示すように、竿掛けアーム５は、長尺な金属製板材よりなり、物干し竿（図示せず）を挿通可能な直径の複数の引っ掛け孔１２を、長手方向で所定間隔おきに有する。
【００２１】  この竿掛けアーム５は、その基端部がスライド支柱４の上端部に回動自在に枢着されており、図１（ｂ）に示すように、水平方向からほぼ４０度で傾斜して、スライド支柱４に対して片持ち状に突出した使用状態に位置決め可能となっている。
また、竿掛けアーム５は、使用状態から上へ持ち上げて垂直状態に姿勢変更させることができ、この状態からスライド支柱４に沿って下降させることにより、図１（ａ）に示すように、当該アーム５の先端部がスライド支柱４の上端部とほぼ同じ高さになる収納状態に位置決めできるようになっている。
【００２２】  図２に示すように、本実施形態の物干し竿支持装置１は、取付部材３の内部に組み込まれたギア１４付きのロータリーダンパ１５を備えている。
このロータリーダンパ１５は、汎用部品として市販されているもので、ギア１４の歯部がスライド支柱４側に向くように、取付部材３の中央部分に収納されている。また、スライド支柱４は、ギア１４が噛み合うラック歯１６を背面壁部に有しており、このラック歯１６は、スライド支柱４の長手方向のほぼ全長に渡って形成されている。
【００２３】  上記ロータリーダンパ１５は、ケーシングと、このケーシングに挿通されたギア１４の回転軸に設けたフィン（図示せず）とを有し、そのケーシング内に封入した粘性流体にフィンを浸すことにより、ギア１４の回転に抵抗を付与している。このギア１４に付与する抵抗は、スライド支柱４が自重で下降するのを妨げない程度に設定されている。
しかして、上記ロータリーダンパ１５とスライド支柱４のラック歯１６とにより、当該スライド支柱４のスライド運動に抵抗を付与してその下降速度を低減させる制動手段が構成されている。
【００２４】  また、本実施形態のロータリーダンパ１５では、ギア１４の回転方向に応じて抵抗が変化するように、上記フィンの形状が設定されている。
具体的には、ギア１４に付与する抵抗は、図２における左回り抵抗の方が右回り抵抗よりも小さくなっており、これにより、スライド支柱４の上昇時の抵抗が、当該スライド支柱４の下降時の抵抗よりも弱くなっている。
【００２５】  〔支持装置の使用方法と作用〕
上記構成に係る本実施形態において、物干し竿支持装置１を使用して洗濯物を干す場合には、ユーザは、最下位状態（図１（ａ）の状態）のスライド支柱４を取付部材３に対して上方にスライドさせ、最上位状態（図１（ｂ）の状態）又はそれに至るまでの中間高さ位置においてスライド支柱４を位置決めする。
その後、収納状態の竿掛けアーム５をスライド支柱４から引き出して、片持ち状に突出させて使用状態とし、使用状態となった両竿掛けアーム４，４に対して物干し竿の両端部を引っ掛けるようにすればよい。
【００２６】  また、物干し竿支持装置１を使用しない場合には、ユーザは、両竿掛けアーム４，４から物干し竿を取り外し、上記とは逆の経路を辿るようにして、使用状態の竿掛けアーム４，４を収納状態に戻し、スライド支柱４を最下位状態に戻すようにすればよい。
このさい、本実施形態の物干し竿支持装置１によれば、前記制動手段が、スライド支柱４が自重で下降するのを妨げない程度に、当該スライド支柱４のスライド運動に抵抗を付与してその下降速度を低減させるので、スライド支柱４を下降させる場合にそれが勢いよく自由落下するのが防止される。
【００２７】  このため、スライド支柱４を最下位状態や中間位置に下降させる際に、スライド支柱４のスライド部分にユーザが指を詰めて怪我をしたり、スライド支柱４が取付部材３に衝突した時に大きな騒音が発生したりするのを防止ないし抑制することができる。
また、本実施形態の物干し竿支持装置１によれば、ギア１４付きのロータリーダンパ１５として、汎用部品として市販されたものを使用しているので、上記制動手段を構成するための製作コストを抑えることができる。
【００２８】  更に、本実施形態の物干し竿支持装置１によれば、収納状態のスライド支柱４の上昇時の抵抗が、当該スライド支柱４の下降時の抵抗よりも弱くなっているので、スライド支柱４をユーザが上昇させる際に、出来るだけ小さい力で当該スライド支柱４を上昇させることができる。
このため、ロータリーダンパ１５を設けたことによって物干し竿支持装置１の使い勝手が悪くなるのを、未然に防止することができる。
【００２９】  〔変形例〕
なお、本発明は上記実施形態に限定されるものではない。
例えば、上記実施形態では、制動手段として、ギア１４付きのロータリーダンパ１５を採用しているが、上下動自在なスライド支柱４の下降に抵抗を付与できるものであればこれに限られず、スライド支柱４に転動自在に当接してこれを制動するゴムローラ等であってもよい。
【符号の説明】
【００３０】  １：物干し竿支持装置    ２：バルコニー壁    ３：取付部材    ４：スライド支柱
５：竿掛けアーム    ９：操作部材    １０：係止部材    １１：スリット
１４：ギア    １５：ロータリーダンパ    １６：ラック歯
【図１】
2011045692.tif 000003
【図２】
2011045692.tif 000004